(57)【要約】【課題】炎色反応によりコンロの炎を全体的に所望の色に変化させ、高齢による視覚障害をもつ方（例えば白内障）が炎を認識し易くすることを目的とする。【解決手段】ガスを燃焼させて主炎１８を発生させるメインバーナ１２と、メインバーナ１２の周縁に設けられ、ガスを燃焼させてパイロット炎２０を発生させ、メインバーナ１２の点火中に常時点火状態とされるパイロットバーナ１４と、パイロット炎２０に当たる位置へ、炎色反応剤の水溶液３６を連続的に供給する供給部１６と、を有するコンロ。【選択図】図１
2014240719.tif 000002
【特許請求の範囲】
【請求項１】
ガスを燃焼させて主炎を発生させるメインバーナと、
前記メインバーナの周縁に設けられ、ガスを燃焼させてパイロット炎を発生させ、前記メインバーナの点火中に常時点火状態とされるパイロットバーナと、
前記パイロット炎に当たる位置へ、炎色反応剤の水溶液を連続的に供給する供給部と、
を有するコンロ。
【請求項２】
前記パイロットバーナは、前記水溶液の水分を気化させ、前記炎色反応剤を気化させ、気化した前記炎色反応剤の一部を前記パイロット炎の熱エネルギにより励起させて炎色反応を起こさせると共に、未励起の前記炎色反応剤を前記パイロット炎に載せて前記主炎へ供給し、
前記メインバーナは、前記主炎の熱エネルギにより前記炎色反応剤を励起させて炎色反応を起こさせる請求項１に記載のコンロ。
【請求項３】
前記供給部は、前記水溶液が滴下しないように、前記水溶液を前記パイロットバーナの前記パイロット炎の上側から供給する請求項１又は請求項２に記載のコンロ。
【請求項４】
メインバーナの点火中にパイロットバーナを常時点火状態とし、
炎色反応剤の水溶液を、前記パイロットバーナのパイロット炎の中へ連続的に供給し、
前記パイロット炎の熱エネルギにより炎色反応剤を気化させ、気化した前記炎色反応剤の一部を励起させて前記パイロットバーナで炎色反応を起こさせると共に、未励起の前記炎色反応剤を前記パイロット炎に載せてメインバーナの主炎へ供給し、
前記主炎の熱エネルギにより前記炎色反応剤を励起させて前記メインバーナで炎色反応を起こさせる炎色反応生成方法。
【発明の詳細な説明】
【技術分野】
【０００１】
本発明は、コンロ及び炎色反応生成方法に関する。
【背景技術】
【０００２】
人は高齢により視覚障害（例えば白内障）をもつ傾向がある。こうした視覚障害の方が燃焼の確認を容易に行えるようにするために、少なくとも点火時にバーナヘッドの炎孔からの炎の形成に伴って所望の色で発光可能な発光手段を備えたコンロバーナが開示されている（特許文献１参照）。発光手段として、バーナヘッドの周縁に設けられるセラミック棒（耐熱体）や、炎色反応剤が挙げられている。炎色反応剤は、例えば塩化ナトリウムであり、直接炎に供給され、又はガスと混合される。
【先行技術文献】
【特許文献】
【０００３】
【特許文献１】特開２０００−２３０７０４号公報
【発明の概要】
【発明が解決しようとする課題】
【０００４】
しかしながら、塩化ナトリウム等の炎色反応剤が炎色反応を起こすためには、電子が励起状態となるまで加熱される必要があり、ある程度の時間を要する。従って上記した従来例のように、炎色反応剤をバーナの炎に直接供給したのでは、炎色反応剤が十分に加熱される前に放散してしまい、良好な炎色反応が生じ難い。また、炎色反応剤をガスと混合したのでは、熱効率の悪化等が懸念される。セラミック棒については、使用により次第に消耗して行くため、交換が必要となる。
【０００５】
本発明は、上記事実を考慮して、炎色反応によりコンロの炎を全体的に所望の色に変化させ、高齢による視覚障害をもつ方（例えば白内障）が炎を認識し易くすることを目的とする。
【課題を解決するための手段】
【０００６】
請求項１の発明（コンロ）は、ガスを燃焼させて主炎を発生させるメインバーナと、前記メインバーナの周縁に設けられ、ガスを燃焼させてパイロット炎を発生させ、前記メインバーナの点火中に常時点火状態とされるパイロットバーナと、前記パイロット炎に当たる位置へ、炎色反応剤の水溶液を連続的に供給する供給部と、を有している。
【０００７】
請求項１に記載のコンロでは、メインバーナの点火中にパイロットバーナが常時点火状態となり、パイロット炎が維持される。供給部は、このパイロット炎に当たる位置へ、炎色反応剤の水溶液を連続的に供給する。パイロット炎により炎色反応剤が加熱されてその電子が励起することにより、炎色反応が起き、パイロット炎が所望の色に変化し、更にメインバーナの主炎の色も全体的に所望の色に変化する。所望の色とは、青色と比較して、高齢による視覚障害をもつ方（例えば白内障）が認識し易い色である。このため、こうした視覚障害者が炎を認識し易くなる。
【０００８】
請求項２の発明は、請求項１に記載のコンロにおいて、前記パイロットバーナは、前記水溶液の水分を気化させ、前記炎色反応剤を気化させ、気化した前記炎色反応剤の一部を前記パイロット炎の熱エネルギにより励起させて炎色反応を起こさせると共に、未励起の前記炎色反応剤を前記パイロット炎に載せて前記主炎へ供給し、前記メインバーナは、前記主炎の熱エネルギにより前記炎色反応剤を励起させて炎色反応を起こさせることを特徴としている。
【０００９】
請求項２に記載のコンロでは、パイロット炎の熱エネルギにより、炎色反応剤の一部を励起させてパイロットバーナで炎色反応を起こさせると共に、未励起の炎色反応剤を主炎の熱エネルギにより励起させてメインバーナで炎色反応を起こさせる。つまり、炎色反応剤を、その一部が励起するまでパイロットバーナで加熱しておくので、メインバーナで炎色反応剤が速やかに励起し、炎色反応が起きる。このため、コンロの炎を全体的に所望の色に、安定して変化させることができる。
【００１０】
請求項３の発明は、請求項１又は請求項２に記載のコンロにおいて、前記供給部は、前記水溶液が滴下しないように、前記水溶液を前記パイロットバーナの前記パイロット炎の上側から供給することを特徴としている。
【００１１】
請求項３に記載のコンロでは、供給部が、炎色反応剤の水溶液が滴下しないように該水溶液をパイロットバーナのパイロット炎の上側から供給する。このため、パイロットバーナ付近での炎色反応剤の析出を防止し、腐食を抑制することができる。
【００１２】
請求項４の発明（炎色反応生成方法）は、メインバーナの点火中にパイロットバーナを常時点火状態とし、炎色反応剤の水溶液を、前記パイロットバーナのパイロット炎の中へ連続的に供給し、前記パイロット炎の熱エネルギにより炎色反応剤を気化させ、気化した前記炎色反応剤の一部を励起させて前記パイロットバーナで炎色反応を起こさせると共に、未励起の前記炎色反応剤を前記パイロット炎に載せてメインバーナの主炎へ供給し、前記主炎の熱エネルギにより前記炎色反応剤を励起させて前記メインバーナで炎色反応を起こさせる。
【００１３】
請求項４に記載の炎色反応生成方法では、パイロット炎の熱エネルギにより、炎色反応剤の一部を励起させてパイロットバーナで炎色反応を起こさせると共に、未励起の炎色反応剤を主炎の熱エネルギにより励起させてメインバーナで炎色反応を起こさせる。つまり、炎色反応剤を、その一部が励起するまでパイロットバーナで加熱しておくので、メインバーナで炎色反応剤が速やかに励起し、炎色反応が起きる。このため、炎色反応を安定して生成することができる。
【発明の効果】
【００１４】
以上説明したように、本発明に係るコンロによれば、炎色反応によりコンロの炎を全体的に所望の色に変化させ、高齢による視覚障害をもつ方（例えば白内障）が炎を認識し易くすることができる、という優れた効果が得られる。
【図面の簡単な説明】
【００１５】
【図１】コンロを模式的に示す正面図である。
【図２】（Ａ）パイロットバーナ及びメインバーナの点火状態を示す平面図である。（Ｂ）パイロットバーナで炎色反応が起きた状態を示す平面図である。（Ｃ）メインバーナで炎色反応が起き始めた状態を示す平面図である。（Ｄ）メインバーナの周囲で全体的に炎色反応が起きた状態を示す平面図である。
【発明を実施するための形態】
【００１６】
以下、本発明を実施するための形態を図面に基づき説明する。図１において、本実施形態に係るコンロ１０は、メインバーナ１２と、パイロットバーナ１４と、供給部１６とを有している。
【００１７】
メインバーナ１２は、ガスを燃焼させて主炎１８を発生させる器具であり、バーナ本体２２の上にバーナヘッド２４を配置して構成されている。バーナヘッド２４の周方向には、多数の炎孔２６が配列されている。バーナ本体２２の下方には、ガスや空気をメインバーナ１２に供給するためのガス流路２８が設けられている。ガスは、ガス管３０を通じて、ガス流路２８に供給されるようになっている。ガス管３０には、弁３２等が設けられている。図１に示される弁３２は、主弁や、火力調節用のニードル弁、安全弁等（図示せず）を総括的に表したものである。
【００１８】
パイロットバーナ１４は、メインバーナ１２の周縁に設けられ、ガスを燃焼させてパイロット炎２０を発生させる器具である。このパイロットバーナ１４は、メインバーナ１２の点火中に常時点火状態とされる。パイロットバーナ１４には、ガス管３４によりガスが供給されるようになっている。ガス管３４は、弁３２の下流側においてガス管３０から分岐している。メインバーナ１２の火力の大小にかかわらず、パイロットバーナ１４の火力は一定とされる。パイロットバーナ１４に供給するガスの流量を一定に保つために、ガス管３４に絞り弁等（図示せず）を設けてもよい。
【００１９】
供給部１６は、パイロット炎２０に当たる位置へ、炎色反応剤の水溶液３６を連続的に供給する。供給部１６は、水溶液３６が滴下しないように、該水溶液３６をパイロットバーナ１４のパイロット炎２０の上側から供給する。炎色反応剤は、例えばＬｉＣｌ、ＮａＣｌ、ＳｒＣｌである。Ｌｉ、Ｎａ、Ｓｒは、高齢による視覚障害をもつ方（例えば白内障）にとって認識し易い炎色反応を起こす元素であり、何れもその沸点がパイロット炎２０の温度よりも低い。従って、パイロット炎２０の熱エネルギにより、炎色反応を起こさせることができる。各々の炎色反応は、Ｌｉが深紅色（波長６７０ｎｍ）、Ｎａが黄色（波長５８９ｎｍ）、Ｓｒが深赤色（波長４６０ｎｍ）となる。
【００２０】
炎色反応剤の水溶液３６は、容器３８に貯留されている。一方、パイロットバーナ１４の上方には、例えばステンレス製とされた細管４０の先端部４０Ａが配置されている。この先端部４０Ａは、細管４０を下方に折り曲げた位置にあり、パイロットバーナ１４の点火時にパイロット炎２０の中に位置するように配置されている。細管４０と容器３８とは、配水管４２により接続されており、該配水管４２には、ポンプ４４が設けられている。ポンプ４４は、微小量の水溶液３６を連続的に供給する能力を有している。
【００２１】
パイロットバーナ１４は、ポンプ４４により送られて細管４０の先端部４０Ａに達した水溶液３６の水分を気化させ、炎色反応剤を気化させ、気化した炎色反応剤の一部をパイロット炎２０の熱エネルギにより励起させて炎色反応を起こさせるようになっている。また、パイロットバーナ１４は、未励起の炎色反応剤をパイロット炎２０に載せて主炎１８へ供給するようになっている。メインバーナ１２は、主炎１８の熱エネルギにより、炎色反応剤を励起させて炎色反応を起こさせるようになっている。
【００２２】
（炎色反応生成方法）
本実施形態に係る炎色反応生成方法は、メインバーナ１２の点火中にパイロットバーナ１４を常時点火状態とし、炎色反応剤の水溶液３６を、パイロットバーナ１４のパイロット炎２０の中へ連続的に供給し、パイロット炎２０の熱エネルギにより炎色反応剤を気化させ、気化した炎色反応剤の一部を励起させてパイロットバーナ１４で炎色反応を起こさせると共に、未励起の炎色反応剤をパイロット炎２０に載せてメインバーナ１２の主炎１８へ供給し、主炎１８の熱エネルギにより炎色反応剤を励起させてメインバーナ１２で炎色反応を起こさせる、というものである。
【００２３】
（作用）
本実施形態は、上記のように構成されており、以下その作用について説明する。図１，図２（Ａ）において、本実施形態に係るコンロ１０では、メインバーナ１２の点火中にパイロットバーナ１４が常時点火状態となり、パイロット炎２０が維持される。
【００２４】
容器３８内に貯留されている炎色反応剤の水溶液３６は、供給部１６のポンプ４４により、配水管４２を通じて細管４０へ連続的に供給される。細管４０の先端部４０Ａは、パイロット炎２０に当たる位置にある。従って、まず水溶液３６の水分がパイロット炎２０に加熱され、水の沸点（約１００℃）に達することにより蒸発する。続いて、炎色反応剤が例えばＬｉＣｌであるとすると、該炎色反応剤が加熱されて融点（約６１０℃）に達し、液化する。更に、炎色反応剤が加熱されて、沸点（約１３６０℃）に達し、気化する。そして、図２（Ｂ）に示されるように、パイロット炎２０の熱エネルギにより炎色反応剤の一部の電子が励起することにより、炎色反応が起き、パイロット炎２０が所望の色に変化する。所望の色とは、赤色や黄色のように、青色と比較して、高齢による視覚障害をもつ方（例えば白内障）が認識し易い色である。炎色反応剤がＬｉＣｌの場合、炎色反応は深紅色となる。
【００２５】
パイロット炎２０による加熱で励起に至らなかった未励起の炎色反応剤は、該パイロット炎２０に載せてメインバーナ１２の主炎１８に供給される。図２（Ｃ）に示されるように、この未励起の炎色反応剤の電子は、主炎１８の熱エネルギにより励起し、炎色反応が起きる。この炎色反応が広がることにより、図２（Ｄ）に示されるように、メインバーナ１２の主炎１８の色も全体的に所望の色に変化する。このため、こうした視覚障害者が炎（主炎１８）を認識し易くなる。
【００２６】
本実施形態では、炎色反応剤を、その一部が励起するまでパイロットバーナ１４で加熱しておくので、メインバーナ１２で炎色反応剤が速やかに励起し、炎色反応が起きる。このため、コンロ１０の炎（メインバーナ１２の主炎１８）を全体的に所望の色に、安定して変化させることができる。
【００２７】
また、炎色反応剤の水溶液３６が細管４０の先端部４０Ａから滴下しないように、供給部１６が該水溶液３６をパイロットバーナ１４のパイロット炎２０の上側から供給するので、パイロットバーナ１４付近での炎色反応剤の析出を防止し、腐食を抑制することができる。
【００２８】
［他の実施形態］
パイロットバーナ１４のパイロット炎２０が、炎色反応剤の一部を励起させるものとしたが、これに限られず、パイロット炎２０が励起の直前まで炎色反応剤を加熱し、メインバーナ１２の主炎１８が、炎色反応剤をすべて励起させるようにしてもよい。
【００２９】
供給部１６が、炎色反応剤の水溶液３６をパイロット炎２０の上側から供給するものとしたが、水溶液３６の供給方向はこれに限られず、例えばパイロット炎２０の側方であってもよい。また、供給部１６は、図示及び上記の構成に限られない。
【００３０】
以上、本発明の一例について説明したが、本発明は、上記に限定されるものでなく、上記以外にも、その主旨を逸脱しない範囲内において種々変形して実施可能であることは勿論である。
【符号の説明】
【００３１】
１０  コンロ、１２  メインバーナ、１４  パイロットバーナ、１６  供給部、１８  主炎、２０  パイロット炎、３６  水溶液
【図１】
2014240719.tif 000003
【図２】
2014240719.tif 000004